【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
コンピュータによって読取可能であり、集積回路を設計するために前記コンピュータによって用いられる１つ以上のセルを備えるセルライブラリを記録する記憶媒体であって、
前記１つ以上のセルのうち規定のセルは、
フットプリントと、
チャネル幅のチャネル幅パラメータと、
を備え、
（ｉ）前記チャネル幅パラメータは、１つ以上の電力基準に基づいて前記集積回路の設計フロー中に、前記規定のセルの前記フットプリントを変更せずに、ツールが前記規定のセルにおける前記チャネル幅を変更する範囲を定義し、（ｉｉ）前記セルライブラリは、（ａ）前記１つ以上の電力基準、（ｂ）１つ以上の性能基準、又は（ｃ）前記１つ以上の電力基準と前記１つ以上の性能基準の両方の組み合わせを備えるルックアップテーブルを更に備えることを特徴とする記憶媒体。
【請求項２】
前記ルックアップテーブルは、（ｉ）前記規定のセルの電力使用量、（ｉｉ）前記規定のセルの性能、又は（ｉｉｉ）前記規定のセルの前記電力使用量と前記性能の両方の組み合わせの調節において前記ツールを制限することを特徴とする請求項１に記載の記憶媒体。
【請求項３】
前記ルックアップテーブルは、（ｉ）前記規定のセルの静的な電力使用量、（ｉｉ）前記規定のセルの動的な電力使用量、又は（ｉｉｉ）前記規定のセルの前記静的な電力使用量と前記動的な電力使用量の両方の組み合わせの調節において前記ツールを制限することを特徴とする請求項１に記載の記憶媒体。
【請求項４】
前記セルライブラリは、複数の前記規定のセルを備えることを特徴とする請求項１に記載の記憶媒体。
【請求項５】
前記チャネル幅パラメータは、前記規定のセルにおける拡散領域の幅を備えることを特徴とする請求項１に記載の記憶媒体。
【請求項６】
前記規定のセルの特定のチャネル幅は、前記規定のセルが配置配線された後に異なるチャネル幅に調節されることを特徴とする請求項１に記載の記憶媒体。
【請求項７】
集積回路を設計するために用いられる１つ以上のセルを備えるセルライブラリを作成する方法であって、
（Ａ）コンピュータを用いて、記憶媒体に前記１つ以上のセルのうち規定のセルのフットプリントを格納するステップと、
（Ｂ）前記記憶媒体に前記規定のセルにおけるチャネル幅のチャネル幅パラメータを格納するステップと、
を備え、
（ｉ）前記チャネル幅パラメータは、１つ以上の電力基準に基づいて前記集積回路の設計フロー中に、前記規定のセルの前記フットプリントを変更せずに、ツールが前記規定のセルにおける前記チャネル幅を変更する範囲を定義し、（ｉｉ）前記セルライブラリは、（ａ）前記１つ以上の電力基準、（ｂ）１つ以上の性能基準、又は（ｃ）前記１つ以上の電力基準と前記１つ以上の性能基準の両方の組み合わせを備えるルックアップテーブルを更に備えることを特徴とする方法。
【請求項８】
前記ルックアップテーブルは、（ｉ）前記規定のセルの電力使用量、（ｉｉ）前記規定のセルの性能、又は（ｉｉｉ）前記規定のセルの前記電力使用量と前記性能の両方の組み合わせの調節において前記ツールを制限することを特徴とする請求項７に記載の方法。
【請求項９】
前記ルックアップテーブルは、（ｉ）前記規定のセルの静的な電力使用量、（ｉｉ）前記規定のセルの動的な電力使用量、又は（ｉｉｉ）前記規定のセルの前記静的な電力使用量と前記動的な電力使用量の両方の組み合わせの調節において前記ツールを制限することを特徴とする請求項７に記載の方法。
【請求項１０】
前記規定のセルの動的な電力使用量は、ポジティブスラックリカバリ毎に前記ツールによって変更されることを特徴とする請求項７に記載の方法。
【請求項１１】
前記チャネル幅パラメータは、前記規定のセルにおける拡散領域の幅を備えることを特徴とする請求項７に記載の方法。
【請求項１２】
前記規定のセルの特定のチャネル幅は、前記規定のセルが配置配線された後に異なるチャネル幅に調節されることを特徴とする請求項７に記載の方法。
【請求項１３】
集積回路の設計において電力を調節する方法であって、
（Ａ）コンピュータを用いて、前記設計における複数のセルの配置配線を行うステップであって、（ｉ）１つ以上のセルのうち規定のセルは、（ａ）フットプリントと、（ｂ）チャネル幅のチャネル幅パラメータと、を備え、（ｉｉ）前記チャネル幅パラメータは、１つ以上の電力基準に基づいて前記集積回路の設計フロー中に、前記規定のセルの前記フットプリントを変更せずに、ツールが前記規定のセルにおける前記チャネル幅を変更する範囲を定義するステップと、
（Ｂ）前記ツールにより前記規定のセルにおける前記チャネル幅を調節するステップと、
（Ｃ）前記集積回路の最終設計を作成するために前記規定のセルにおける前記チャネル幅を最終決定するステップと、
を備え、
前記１つ以上のセルのセルライブラリは、（ｉ）前記１つ以上の電力基準、（ｉｉ）１つ以上の性能基準、又は（ｉｉｉ）前記１つ以上の電力基準と前記１つ以上の性能基準の両方の組み合わせを備えるルックアップテーブルを更に備えることを特徴とする方法。
【請求項１４】
前記ツールは、前記規定のセルの前記１つ以上の性能基準を調節することを特徴とする請求項１３に記載の方法。
【請求項１５】
前記ルックアップテーブルは、（ｉ）前記規定のセルの電力使用量、（ｉｉ）前記規定のセルの性能、又は（ｉｉｉ）前記規定のセルの前記電力使用量と前記性能の両方の組み合わせの調節において前記ツールを制限することを特徴とする請求項１３に記載の方法。
【請求項１６】
前記ルックアップテーブルは、前記規定のセルの複数の電力使用量と複数の性能とを備えることを特徴とする請求項１３に記載の方法。
【請求項１７】
コンピュータによって読取可能であり、集積回路を設計するために前記コンピュータによって用いられる１つ以上のセルを備えるセルライブラリを記録する記憶媒体であって、
前記１つ以上のセルのうち規定のセルは、
フットプリントと、
チャネル幅のチャネル幅パラメータと、
を備え、
（ｉ）前記チャネル幅パラメータは、１つ以上の電力基準に基づいて前記集積回路の設計フロー中に、前記規定のセルの前記フットプリントを変更せずに、ツールが前記規定のセルにおける前記チャネル幅を変更する範囲を定義し、（ｉｉ）前記セルライブラリは、（ａ）前記規定のセルの静的な電力使用量、（ｂ）前記規定のセルの動的な電力使用量、又は（ｃ）前記規定のセルの前記静的な電力使用量と前記動的な電力使用量の両方の組み合わせの調節において前記ツールを制限するルックアップテーブルを更に備えることを特徴とする記憶媒体。
【請求項１８】
前記規定のセルは、１つ以上の性能基準を更に備えることを特徴とする請求項１７に記載の記憶媒体。
【請求項１９】
集積回路の設計において電力を調節する方法であって、
（Ａ）コンピュータを用いて、前記設計におけるセルライブラリの複数のセルの配置配線を行うステップであって、（ｉ）１つ以上のセルのうち規定のセルは、（ａ）フットプリントと、（ｂ）チャネル幅のチャネル幅パラメータと、を備え、（ｉｉ）前記チャネル幅パラメータは、１つ以上の電力基準に基づいて前記集積回路の設計フロー中に、前記規定のセルの前記フットプリントを変更せずに、ツールが前記規定のセルにおける前記チャネル幅を変更する範囲を定義するステップと、
（Ｂ）前記ツールにより前記規定のセルにおける前記チャネル幅を調節するステップと、
（Ｃ）前記集積回路の最終設計を作成するために前記規定のセルにおける前記チャネル幅を最終決定するステップと、
を備え、
前記セルライブラリは、（ｉ）前記規定のセルの複数の電力使用量、（ｉｉ）前記規定のセルの複数の性能を備える１つ以上のルックアップテーブルを更に備えることを特徴とする方法。
【請求項２０】
前記規定のセルは、１つ以上の性能基準を更に備えることを特徴とする請求項１９に記載の方法。